(57)【特許請求の範囲】
【請求項１】
トランスポートブロックサイズを決定する方法であって、
アップリンク上で送信されるべきデータを識別することと、ここにおいて、前記データはリソースブロックの数に関連する、
ダウンリンク制御情報を介して少なくとも１つの示された係数を受信することと、
前記少なくとも１つの示された係数に基づいて少なくとも１つの係数を決定することと、ここにおいて、前記少なくとも１つの係数が調整ファクタに対応し、前記調整ファクタがリソースブロックの前記数の関数である、
リソースブロックの前記数と前記少なくとも１つの係数とに基づいてトランスポートブロックサイズ列インデックスを計算することと、
前記トランスポートブロックサイズ列インデックスに少なくとも部分的に基づいて前記トランスポートブロックサイズを決定することと、
前記トランスポートブロックサイズに少なくとも部分的に基づいて前記アップリンク上で前記データを送信することと
を備える、方法。
【請求項２】
トランスポートブロックサイズを決定する方法であって、
アップリンク上で送信されるべきデータを識別することと、ここにおいて、前記データはリソースブロックの数に関連する、
ダウンリンク制御情報を介して少なくとも１つの示された係数を受信することと、
前記少なくとも１つの示された係数に基づいて少なくとも１つの係数を決定することと、ここにおいて、前記少なくとも１つの係数が、非周期ＣＱＩのみの送信を示し得る、
リソースブロックの前記数と前記少なくとも１つの係数とに基づいてトランスポートブロックサイズ列インデックスを計算することと、
前記トランスポートブロックサイズ列インデックスに少なくとも部分的に基づいて前記トランスポートブロックサイズを決定することと、
前記トランスポートブロックサイズに少なくとも部分的に基づいて前記アップリンク上で前記データを送信することと
を備える、方法。
【請求項３】
トランスポートブロックサイズを決定する方法であって、
アップリンク上で送信されるべきデータを識別することと、ここにおいて、前記データはリソースブロックの数に関連する、
ダウンリンク制御情報を介して少なくとも１つの示された係数を受信することと、
前記少なくとも１つの示された係数に基づいて少なくとも１つの係数を決定することと、
リソースブロックの前記数と前記少なくとも１つの係数とに基づいてトランスポートブロックサイズ列インデックスを計算することと、
前記トランスポートブロックサイズ列インデックスに少なくとも部分的に基づいて前記トランスポートブロックサイズを決定することと、
前記トランスポートブロックサイズに少なくとも部分的に基づいて前記アップリンク上で前記データを送信することと、ここにおいて、前記データを送信することが、２つのコードワードを有する多入力多出力（ＭＩＭＯ）スキームに従って前記データを送信することを含み、前記少なくとも１つの係数が前記２つのコードワードの各々について同じである、
を備える、方法。
【請求項４】
トランスポートブロックサイズを決定する方法であって、
アップリンク上で送信されるべきデータを識別することと、ここにおいて、前記データはリソースブロックの数に関連する、
ダウンリンク制御情報を介して少なくとも１つの示された係数を受信することと、
前記少なくとも１つの示された係数に基づいて少なくとも１つの係数を決定することと、ここにおいて、前記少なくとも１つの係数が、前記アップリンク上での送信のためのリソース割振りグラニュラリティに依存する、
リソースブロックの前記数と前記少なくとも１つの係数とに基づいてトランスポートブロックサイズ列インデックスを計算することと、
前記トランスポートブロックサイズ列インデックスに少なくとも部分的に基づいて前記トランスポートブロックサイズを決定することと、
前記トランスポートブロックサイズに少なくとも部分的に基づいて前記アップリンク上で前記データを送信することと
を備える、方法。
【請求項５】
トランスポートブロックサイズを決定する方法であって、
アップリンク上で送信されるべきデータを識別することと、ここにおいて、前記データはリソースブロックの数に関連する、
ダウンリンク制御情報を介して少なくとも１つの示された係数を受信することと、
前記少なくとも１つの示された係数に基づいて少なくとも１つの係数を決定することと、
リソースブロックの前記数と前記少なくとも１つの係数とに基づいてトランスポートブロックサイズ列インデックスを計算することと、
前記トランスポートブロックサイズ列インデックスに少なくとも部分的に基づいて前記トランスポートブロックサイズを決定することと、
前記トランスポートブロックサイズに少なくとも部分的に基づいて前記アップリンク上で前記データを送信することと、
システム帯域幅に基づいてインターレースの数を決定することと、
前記システム帯域幅に基づいてインターリーブされたリソースブロックの数を決定することと、
インターレースの前記数とインターリーブされたリソースブロックの前記数とに基づいてビットマップを生成することと、
前記ビットマップに基づいてリソースを割り振ることと、
を備える、方法。
【請求項６】
コンピュータ実行可能コードを記憶したコンピュータ可読記録媒体であって、
アップリンク上で送信されるべきデータを識別するように実行可能なコードと、ここにおいて、前記データはリソースブロックの数に関連する、
ダウンリンク制御情報を介して少なくとも１つの示された係数を受信するように実行可能なコードと、
前記少なくとも１つの示された係数に基づいて少なくとも１つの係数を決定するように実行可能なコードと、ここにおいて、前記少なくとも１つの係数が調整ファクタに対応し、前記調整ファクタがリソースブロックの前記数の関数である、
リソースブロックの前記数と前記少なくとも１つの係数とに基づいてトランスポートブロックサイズ列インデックスを計算するように実行可能なコードと、
前記トランスポートブロックサイズ列インデックスに少なくとも部分的に基づいてトランスポートブロックサイズを決定するように実行可能なコードと、
前記トランスポートブロックサイズに少なくとも部分的に基づいて前記アップリンク上で前記データを送信するように実行可能なコードと
を備える、コンピュータ実行可能コードを記憶したコンピュータ可読記録媒体。
【請求項７】
コンピュータ実行可能コードを記憶したコンピュータ可読記録媒体であって、
アップリンク上で送信されるべきデータを識別するように実行可能なコードと、ここにおいて、前記データはリソースブロックの数に関連する、
ダウンリンク制御情報を介して少なくとも１つの示された係数を受信するように実行可能なコードと、
前記少なくとも１つの示された係数に基づいて少なくとも１つの係数を決定するように実行可能なコードと、ここにおいて、前記少なくとも１つの係数が、非周期ＣＱＩのみの送信を示し得る、
リソースブロックの前記数と前記少なくとも１つの係数とに基づいてトランスポートブロックサイズ列インデックスを計算するように実行可能なコードと、
前記トランスポートブロックサイズ列インデックスに少なくとも部分的に基づいてトランスポートブロックサイズを決定するように実行可能なコードと、
前記トランスポートブロックサイズに少なくとも部分的に基づいて前記アップリンク上で前記データを送信するように実行可能なコードと
を備える、コンピュータ実行可能コードを記憶したコンピュータ可読記録媒体。
【請求項８】
コンピュータ実行可能コードを記憶したコンピュータ可読記録媒体であって、
アップリンク上で送信されるべきデータを識別するように実行可能なコードと、ここにおいて、前記データはリソースブロックの数に関連する、
ダウンリンク制御情報を介して少なくとも１つの示された係数を受信するように実行可能なコードと、
前記少なくとも１つの示された係数に基づいて少なくとも１つの係数を決定するように実行可能なコードと、
リソースブロックの前記数と前記少なくとも１つの係数とに基づいてトランスポートブロックサイズ列インデックスを計算するように実行可能なコードと、
前記トランスポートブロックサイズ列インデックスに少なくとも部分的に基づいてトランスポートブロックサイズを決定するように実行可能なコードと、
前記トランスポートブロックサイズに少なくとも部分的に基づいて前記アップリンク上で前記データを送信するように実行可能なコードと、ここにおいて、前記データを送信することが、２つのコードワードを有する多入力多出力（ＭＩＭＯ）スキームに従って前記データを送信することを含み、前記少なくとも１つの係数が前記２つのコードワードの各々について同じである、
を備える、コンピュータ実行可能コードを記憶したコンピュータ可読記録媒体。
【請求項９】
コンピュータ実行可能コードを記憶したコンピュータ可読記録媒体であって、
アップリンク上で送信されるべきデータを識別するように実行可能なコードと、ここにおいて、前記データはリソースブロックの数に関連する、
ダウンリンク制御情報を介して少なくとも１つの示された係数を受信するように実行可能なコードと、
前記少なくとも１つの示された係数に基づいて少なくとも１つの係数を決定するように実行可能なコードと、ここにおいて、前記少なくとも１つの係数が、前記アップリンク上での送信のためのリソース割振りグラニュラリティに依存する、
リソースブロックの前記数と前記少なくとも１つの係数とに基づいてトランスポートブロックサイズ列インデックスを計算するように実行可能なコードと、
前記トランスポートブロックサイズ列インデックスに少なくとも部分的に基づいてトランスポートブロックサイズを決定するように実行可能なコードと、
前記トランスポートブロックサイズに少なくとも部分的に基づいて前記アップリンク上で前記データを送信するように実行可能なコードと
を備える、コンピュータ実行可能コードを記憶したコンピュータ可読記録媒体。
【請求項１０】
コンピュータ実行可能コードを記憶したコンピュータ可読記録媒体であって、
アップリンク上で送信されるべきデータを識別するように実行可能なコードと、ここにおいて、前記データはリソースブロックの数に関連する、
ダウンリンク制御情報を介して少なくとも１つの示された係数を受信するように実行可能なコードと、
前記少なくとも１つの示された係数に基づいて少なくとも１つの係数を決定するように実行可能なコードと、
リソースブロックの前記数と前記少なくとも１つの係数とに基づいてトランスポートブロックサイズ列インデックスを計算するように実行可能なコードと、
前記トランスポートブロックサイズ列インデックスに少なくとも部分的に基づいてトランスポートブロックサイズを決定するように実行可能なコードと、
前記トランスポートブロックサイズに少なくとも部分的に基づいて前記アップリンク上で前記データを送信するように実行可能なコードと、
システム帯域幅に基づいてインターレースの数を決定するように実行可能なコードと、
前記システム帯域幅に基づいてインターリーブされたリソースブロックの数を決定するように実行可能なコードと、
インターレースの前記数とインターリーブされたリソースブロックの前記数とに基づいてビットマップを生成するように実行可能なコードと、
前記ビットマップに基づいてリソースを割り振るように実行可能なコードと、
を備える、コンピュータ実行可能コードを記憶したコンピュータ可読記録媒体。
【請求項１１】
トランスポートブロックサイズを決定するための装置であって、
アップリンク上で送信されるべきデータを識別するための手段と、ここにおいて、前記データはリソースブロックの数に関連する、
ダウンリンク制御情報を介して少なくとも１つの示された係数を受信するための手段と、
前記少なくとも１つの示された係数に基づいて少なくとも１つの係数を決定するための手段と、ここにおいて、前記少なくとも１つの係数が調整ファクタに対応し、前記調整ファクタがリソースブロックの前記数の関数である、
リソースブロックの前記数と前記少なくとも１つの係数とに基づいてトランスポートブロックサイズ列インデックスを計算するための手段と、
前記トランスポートブロックサイズ列インデックスに少なくとも部分的に基づいて前記トランスポートブロックサイズを決定するための手段と、
前記トランスポートブロックサイズに少なくとも部分的に基づいて前記アップリンク上で前記データを送信するための手段と
を備える、装置。
【請求項１２】
トランスポートブロックサイズを決定するための装置であって、
アップリンク上で送信されるべきデータを識別するための手段と、ここにおいて、前記データはリソースブロックの数に関連する、
ダウンリンク制御情報を介して少なくとも１つの示された係数を受信するための手段と、
前記少なくとも１つの示された係数に基づいて少なくとも１つの係数を決定するための手段と、ここにおいて、前記少なくとも１つの係数が、非周期ＣＱＩのみの送信を示し得る、
リソースブロックの前記数と前記少なくとも１つの係数とに基づいてトランスポートブロックサイズ列インデックスを計算するための手段と、
前記トランスポートブロックサイズ列インデックスに少なくとも部分的に基づいて前記トランスポートブロックサイズを決定するための手段と、
前記トランスポートブロックサイズに少なくとも部分的に基づいて前記アップリンク上で前記データを送信するための手段と
を備える、装置。
【請求項１３】
トランスポートブロックサイズを決定するための装置であって、
アップリンク上で送信されるべきデータを識別するための手段と、ここにおいて、前記データはリソースブロックの数に関連する、
ダウンリンク制御情報を介して少なくとも１つの示された係数を受信するための手段と、
前記少なくとも１つの示された係数に基づいて少なくとも１つの係数を決定するための手段と、
リソースブロックの前記数と前記少なくとも１つの係数とに基づいてトランスポートブロックサイズ列インデックスを計算するための手段と、
前記トランスポートブロックサイズ列インデックスに少なくとも部分的に基づいて前記トランスポートブロックサイズを決定するための手段と、
前記トランスポートブロックサイズに少なくとも部分的に基づいて前記アップリンク上で前記データを送信するための手段と、ここにおいて、前記データを送信することが、２つのコードワードを有する多入力多出力（ＭＩＭＯ）スキームに従って前記データを送信することを含み、前記少なくとも１つの係数が前記２つのコードワードの各々について同じである、
を備える、装置。
【請求項１４】
トランスポートブロックサイズを決定するための装置であって、
アップリンク上で送信されるべきデータを識別するための手段と、ここにおいて、前記データはリソースブロックの数に関連する、
ダウンリンク制御情報を介して少なくとも１つの示された係数を受信するための手段と、
前記少なくとも１つの示された係数に基づいて少なくとも１つの係数を決定するための手段と、ここにおいて、前記少なくとも１つの係数が、前記アップリンク上での送信のためのリソース割振りグラニュラリティに依存する、
リソースブロックの前記数と前記少なくとも１つの係数とに基づいてトランスポートブロックサイズ列インデックスを計算するための手段と、
前記トランスポートブロックサイズ列インデックスに少なくとも部分的に基づいて前記トランスポートブロックサイズを決定するための手段と、
前記トランスポートブロックサイズに少なくとも部分的に基づいて前記アップリンク上で前記データを送信するための手段と
を備える、装置。
【請求項１５】
トランスポートブロックサイズを決定するための装置であって、
アップリンク上で送信されるべきデータを識別するための手段と、ここにおいて、前記データはリソースブロックの数に関連する、
ダウンリンク制御情報を介して少なくとも１つの示された係数を受信するための手段と、
前記少なくとも１つの示された係数に基づいて少なくとも１つの係数を決定するための手段と、
リソースブロックの前記数と前記少なくとも１つの係数とに基づいてトランスポートブロックサイズ列インデックスを計算するための手段と、
前記トランスポートブロックサイズ列インデックスに少なくとも部分的に基づいて前記トランスポートブロックサイズを決定するための手段と、
前記トランスポートブロックサイズに少なくとも部分的に基づいて前記アップリンク上で前記データを送信するための手段と、
システム帯域幅に基づいてインターレースの数を決定するための手段と、
前記システム帯域幅に基づいてインターリーブされたリソースブロックの数を決定するための手段と、
インターレースの前記数とインターリーブされたリソースブロックの前記数とに基づいてビットマップを生成するための手段と、
前記ビットマップに基づいてリソースを割り振るための手段と、
を備える、装置。
【請求項１６】
トランスポートブロックサイズを決定するための装置であって、
アップリンク上で送信されるべきデータを識別するように構成されたデータ識別構成要素と、ここにおいて、前記データはリソースブロックの数に関連する、
係数決定構成要素であって、
ダウンリンク制御情報を介して少なくとも１つの示された係数を受信することと、
前記少なくとも１つの示された係数に基づいて少なくとも１つの係数を決定することと、ここにおいて、前記少なくとも１つの係数が調整ファクタに対応し、前記調整ファクタがリソースブロックの前記数の関数である、
を行うように構成された係数決定構成要素と、
リソースブロックの前記数と前記少なくとも１つの係数とに基づいてトランスポートブロックサイズ列インデックスを計算するように構成されたトランスポートブロックサイズ列インデックス計算構成要素と、
前記トランスポートブロックサイズ列インデックスに少なくとも部分的に基づいて前記トランスポートブロックサイズを決定するように構成されたトランスポートブロックサイズ決定構成要素と、
前記トランスポートブロックサイズに少なくとも部分的に基づいて前記アップリンク上で前記データを送信するように構成された送信機と
を備える、装置。
【請求項１７】
トランスポートブロックサイズを決定するための装置であって、
アップリンク上で送信されるべきデータを識別するように構成されたデータ識別構成要素と、ここにおいて、前記データはリソースブロックの数に関連する、
係数決定構成要素であって、
ダウンリンク制御情報を介して少なくとも１つの示された係数を受信することと、
前記少なくとも１つの示された係数に基づいて少なくとも１つの係数を決定することと、ここにおいて、前記少なくとも１つの係数が、非周期ＣＱＩのみの送信を示し得る、
を行うように構成された係数決定構成要素と、
リソースブロックの前記数と前記少なくとも１つの係数とに基づいてトランスポートブロックサイズ列インデックスを計算するように構成されたトランスポートブロックサイズ列インデックス計算構成要素と、
前記トランスポートブロックサイズ列インデックスに少なくとも部分的に基づいて前記トランスポートブロックサイズを決定するように構成されたトランスポートブロックサイズ決定構成要素と、
前記トランスポートブロックサイズに少なくとも部分的に基づいて前記アップリンク上で前記データを送信するように構成された送信機と
を備える、装置。
【請求項１８】
トランスポートブロックサイズを決定するための装置であって、
アップリンク上で送信されるべきデータを識別するように構成されたデータ識別構成要素と、ここにおいて、前記データはリソースブロックの数に関連する、
係数決定構成要素であって、
ダウンリンク制御情報を介して少なくとも１つの示された係数を受信することと、
前記少なくとも１つの示された係数に基づいて少なくとも１つの係数を決定することと
を行うように構成された係数決定構成要素と、
リソースブロックの前記数と前記少なくとも１つの係数とに基づいてトランスポートブロックサイズ列インデックスを計算するように構成されたトランスポートブロックサイズ列インデックス計算構成要素と、
前記トランスポートブロックサイズ列インデックスに少なくとも部分的に基づいて前記トランスポートブロックサイズを決定するように構成されたトランスポートブロックサイズ決定構成要素と、
前記トランスポートブロックサイズに少なくとも部分的に基づいて前記アップリンク上で前記データを送信するように構成された送信機と、ここにおいて、前記データを送信することが、２つのコードワードを有する多入力多出力（ＭＩＭＯ）スキームに従って前記データを送信することを含み、前記少なくとも１つの係数が前記２つのコードワードの各々について同じである、
を備える、装置。
【請求項１９】
トランスポートブロックサイズを決定するための装置であって、
アップリンク上で送信されるべきデータを識別するように構成されたデータ識別構成要素と、ここにおいて、前記データはリソースブロックの数に関連する、
係数決定構成要素であって、
ダウンリンク制御情報を介して少なくとも１つの示された係数を受信することと、
前記少なくとも１つの示された係数に基づいて少なくとも１つの係数を決定することと、ここにおいて、前記少なくとも１つの係数が、前記アップリンク上での送信のためのリソース割振りグラニュラリティに依存する、
を行うように構成された係数決定構成要素と、
リソースブロックの前記数と前記少なくとも１つの係数とに基づいてトランスポートブロックサイズ列インデックスを計算するように構成されたトランスポートブロックサイズ列インデックス計算構成要素と、
前記トランスポートブロックサイズ列インデックスに少なくとも部分的に基づいて前記トランスポートブロックサイズを決定するように構成されたトランスポートブロックサイズ決定構成要素と、
前記トランスポートブロックサイズに少なくとも部分的に基づいて前記アップリンク上で前記データを送信するように構成された送信機と
を備える、装置。
【請求項２０】
トランスポートブロックサイズを決定するための装置であって、
アップリンク上で送信されるべきデータを識別するように構成されたデータ識別構成要素と、ここにおいて、前記データはリソースブロックの数に関連する、
係数決定構成要素であって、
ダウンリンク制御情報を介して少なくとも１つの示された係数を受信することと、
前記少なくとも１つの示された係数に基づいて少なくとも１つの係数を決定することと
を行うように構成された係数決定構成要素と、
リソースブロックの前記数と前記少なくとも１つの係数とに基づいてトランスポートブロックサイズ列インデックスを計算するように構成されたトランスポートブロックサイズ列インデックス計算構成要素と、
前記トランスポートブロックサイズ列インデックスに少なくとも部分的に基づいて前記トランスポートブロックサイズを決定するように構成されたトランスポートブロックサイズ決定構成要素と、
前記トランスポートブロックサイズに少なくとも部分的に基づいて前記アップリンク上で前記データを送信するように構成された送信機と、
システム帯域幅に基づいてインターレースの数を決定することと、
前記システム帯域幅に基づいてインターリーブされたリソースブロックの数を決定することと、
インターレースの前記数とインターリーブされたリソースブロックの前記数とに基づいてビットマップを生成することと、
前記ビットマップに基づいてリソースを割り振ることと
を行うように構成されたビットマップ決定構成要素と、
を備える、装置。
【発明の詳細な説明】
【技術分野】
【０００１】
優先権の主張
[0001]本特許出願は、本出願の譲受人に譲渡され参照により本明細書に明確に組み込まれる、２０１４年９月１８日に出願された「UPLINK RESOURCE ALLOCATION AND TRANSPORT BLOCK SIZE DETERMINATION」と題する非仮出願第１４／４９０，３９０号、および２０１３年９月２０日に出願された「UPLINK RESOURCE ALLOCATION AND TRANSPORT BLOCK SIZE DETERMINATION」と題する仮出願第６１／８８０，４８４号の優先権を主張する。
【０００２】
[0002]本開示の態様は、一般にワイヤレス通信に関し、より詳細には、無認可スペクトルにわたるアップリンクリソース割振りおよびトランスポートブロックサイズ決定のための方法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]かなりの量の無認可スペクトルが、使用されていないか、またはわずかに（lightly）使用されている。そのような無認可スペクトルは、たとえば、届きにくい場所における地方ブロードバンド展開、サービスが不十分なマーケットにおいてブロードバンドアクセスを提供すること、およびマシンツーマシン（Ｍ２Ｍ）通信を含む、様々なタイプのワイヤレス通信に有用であり得る。そのように、無認可スペクトルの使用は、付加的なバンドを提供し、能力と機能の両方に関して多種多様なワイヤレスアクセス技術にわたるワイヤレス通信の発展を著しく向上させ得る。無認可スペクトルにわたるＬＴＥの使用は「ＬＴＥ−Ｕ」と呼ばれることがある。無認可スペクトルにわたってＬＴＥを使用することは、旧来のＬＴＥのために使用されるものとは異なるワイヤレス通信の様々な態様のための技法を使用することを必要とし得る。したがって、認可スペクトルにわたるＬＴＥにおけるアップリンク（ＵＬ：uplink）リソース割振りとトランスポートブロックサイズ（ＴＢＳ：transport block size）とに関係する規格化された技法は、（たとえば、ＬＴＥ−Ｕにおける）無認可スペクトルにわたるＬＴＥの使用に首尾よく適用されないことがある。
【０００６】
[0006]したがって、無認可スペクトルにわたるアップリンクリソース割振りとトランスポートブロックサイズ（ＴＢＳ）決定における改善が望まれる。
【発明の概要】
【０００７】
[0007]以下で、１つまたは複数の態様の基本的理解を与えるために、そのような態様の簡略化された概要を提示する。この概要は、すべての企図された態様の包括的な概観ではなく、すべての態様の主要なまたは重要な要素を識別するものでも、いずれかまたはすべての態様の範囲を定めるものでもない。その唯一の目的は、後で提示するより詳細な説明の導入として、１つまたは複数の態様のいくつかの概念を簡略化された形態で提示することである。
【０００８】
[0008]一態様では、トランスポートブロックサイズを決定する方法が、アップリンク上で送信されるべきデータを識別することを含み、ここにおいて、データはリソースブロックの数に関連する。本方法は、ダウンリンク制御情報を介して少なくとも１つの示された係数（indicated coefficient）を受信することをさらに含む。さらに、少なくとも１つの示された係数に基づいて少なくとも１つの係数を決定することと、リソースブロックの数と少なくとも１つの係数とに基づいてトランスポートブロックサイズ列インデックスを計算することと。さらに、本方法は、トランスポートブロックサイズ列インデックスに少なくとも部分的に基づいてトランスポートブロックサイズを決定することを含む。本方法は、トランスポートブロックサイズに少なくとも部分的に基づいてアップリンク上でデータを送信することを含む。
【０００９】
[0009]別の態様では、コンピュータ実行可能コードを記憶したコンピュータ可読媒体が、アップリンク上で送信されるべきデータを識別するように実行可能なコードを含み、ここにおいて、データはリソースブロックの数に関連する。コンピュータ可読媒体は、ダウンリンク制御情報を介して少なくとも１つの示された係数を受信するように実行可能なコードと、少なくとも１つの示された係数に基づいて少なくとも１つの係数を決定するように実行可能なコードとをさらに含む。さらに、コンピュータ可読媒体は、リソースブロックの数と少なくとも１つの係数とに基づいてトランスポートブロックサイズ列インデックスを計算するように実行可能なコードを含む。さらに、コンピュータ可読媒体は、トランスポートブロックサイズ列インデックスに少なくとも部分的に基づいてトランスポートブロックサイズを決定するように実行可能なコードを含む。コンピュータ可読媒体は、トランスポートブロックサイズに少なくとも部分的に基づいてアップリンク上でデータを送信するように実行可能なコードを含む。
【００１０】
[0010]さらなる態様では、トランスポートブロックサイズを決定するための装置が、アップリンク上で送信されるべきデータを識別するための手段を含み、ここにおいて、データはリソースブロックの数に関連する。本装置は、ダウンリンク制御情報を介して少なくとも１つの示された係数を受信するための手段をさらに含む。さらに、本装置は、少なくとも１つの示された係数に基づいて少なくとも１つの係数を決定するための手段と、リソースブロックの数と少なくとも１つの係数とに基づいてトランスポートブロックサイズ列インデックスを計算するための手段とを含む。さらに、本装置は、トランスポートブロックサイズ列インデックスに少なくとも部分的に基づいてトランスポートブロックサイズを決定するための手段を含む。本装置は、トランスポートブロックサイズに少なくとも部分的に基づいてアップリンク上でデータを送信するための手段を含む。
【００１１】
[0011]追加の態様では、トランスポートブロックサイズを決定するための装置が、アップリンク上で送信されるべきデータを識別するように構成されたデータ識別構成要素を含み、ここにおいて、データはリソースブロックの数に関連する。本装置は、ダウンリンク制御情報を介して少なくとも１つの示された係数を受信することと、少なくとも１つの示された係数に基づいて少なくとも１つの係数を決定することとを行うように構成された係数決定構成要素をさらに含む。さらに、本装置は、リソースブロックの数と少なくとも１つの係数とに基づいてトランスポートブロックサイズ列インデックスを計算するように構成されたトランスポートブロックサイズ列インデックス計算構成要素を含む。さらに、本装置は、トランスポートブロックサイズ列インデックスに少なくとも部分的に基づいてトランスポートブロックサイズを決定するように構成されたトランスポートブロックサイズ決定構成要素を含む。本装置は、トランスポートブロックサイズに少なくとも部分的に基づいてアップリンク上でデータを送信するように構成された送信機を含む。
【００１２】
[0012]上記および関係する目的を達成するために、１つまたは複数の態様は、以下で十分に説明され、特に特許請求の範囲で指摘される特徴を備える。以下の説明および添付の図面に１つまたは複数の態様のいくつかの例示的な態様を詳細に記載する。ただし、これらの態様は、様々な態様の原理が採用され得る様々な方法のほんのいくつかを示すものであり、説明する態様は、すべてのそのような態様およびそれらの均等物を含むものとする。
【００１３】
[0013]添付の図面とともに以下に説明する開示する態様は、開示する態様を限定するためではなく、開示する態様を例示するために与えられ、ここにおいて、同様の表示は同様の要素を示し、ここで、破線はオプションの構成要素または行為を示し得る。
【図面の簡単な説明】
【００１４】
【図１】[0014]無認可スペクトルにわたるアップリンクリソース割振りとトランスポートブロックサイズ決定とのために構成された態様を有するユーザ機器を含む、ネットワークアーキテクチャの一例を示す図。
【図２】[0015]本態様に従って、たとえば図１に従って、トランスポートブロックサイズを決定し、アップリンクリソースを割り振るための方法のフローチャート。
【図３】[0016]無認可スペクトルにわたるアップリンクリソース割振りとトランスポートブロックサイズ決定とのために構成された、本態様による、たとえば、図１による態様を有する、処理システムを採用する装置のためのハードウェア実装形態の一例を示す図。
【図４】[0017]本態様による、たとえば図１による、無認可スペクトルにわたるアップリンクリソース割振りとトランスポートブロックサイズ決定とのために構成された態様を有するアクセスネットワークの一例を示す図。
【図５】[0018]本態様による、たとえば図１による、ＬＴＥにおけるＤＬフレーム構造の一例を示す図。
【図６】[0019]本態様による、たとえば図１による、ＬＴＥにおけるＵＬフレーム構造の一例を示す図。
【図７】[0020]本態様による、たとえば図１による、ユーザプレーンおよび制御プレーンのための無線プロトコルアーキテクチャの一例を示す図。
【図８】[0021]無認可スペクトルにわたるアップリンクリソース割振りとトランスポートブロックサイズ決定とのために構成され、本態様による、たとえば図１による態様を有する、アクセスネットワーク中の発展型ノードＢとユーザ機器との一例を示す図。
【発明を実施するための形態】
【００１５】
[0022]添付の図面に関して以下に記載する詳細な説明は、様々な構成を説明するものであり、本明細書で説明する概念が実施され得る唯一の構成を表すものではない。詳細な説明は、様々な概念の完全な理解をもたらす目的で、具体的な詳細を含んでいる。しかしながら、これらの概念はこれらの具体的な詳細なしに実施され得ることが、当業者には明らかであろう。いくつかの例では、そのような概念を曖昧にするのを回避するために、よく知られている構造がブロック図の形態で示される。一態様では、本明細書で使用する「構成要素」という用語は、システムを構成する部分のうちの１つであり得、ハードウェアまたはソフトウェアであり得、他の構成要素に分割され得る。
【００１６】
[0023]次に、様々な装置および方法に関して電気通信システムのいくつかの態様が提示される。これらの装置および方法は、以下の詳細な説明において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１７】
[0024]例として、要素、または要素の任意の部分、あるいは要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明する様々な機能を実施するように構成された他の好適なハードウェアがある。処理システム中の１つまたは複数のプロセッサがソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１８】
[0025]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１９】
[0026]ＬＴＥによるワイヤレス通信は、公開されている３ＧＰＰファミリーの仕様において規格化されている。しかしながら、そのような規格は、様々な理由から、ＬＴＥ−Ｕと呼ばれることのある、無認可スペクトルにわたるＬＴＥによるワイヤレス通信では調整される必要があり得る。一例では、無認可スペクトル内で占有チャネル帯域幅（占有帯域幅または占有ＢＷとも呼ばれる）を使用することに関係する規制が、アップリンク（ＵＬ）においてＬＴＥ−Ｕに影響を及ぼし得る。占有チャネル帯域幅は、少なくとも大部分の時間、０．５％エネルギーから９９．５％エネルギーの周波数掃引と、公称帯域幅の少なくとも８０％の有効スパン（たとえば、占有チャネル帯域幅≧０．８０×公称ＢＷ）とによって定義され得る。アップリンクでは、（たとえば、ＬＴＥ−Ｕでない）認可スペクトルにわたるＬＴＥの使用は、シングルキャリア（ＳＣ）周波数分割多元接続（ＳＣ−ＦＤＭＡ）スキームまたは２クラスタベースのアップリンクリソース割振りであり、それらは、占有チャネル帯域幅についてのこれらの要件を満たさないことがある（たとえば、標準のＳＣ−ＦＤＭＡは８０％要件を満たさないことがある）。
【００２０】
[0027]このように、無認可スペクトルにわたるＬＴＥ（たとえば、ＬＴＥ−Ｕ）におけるアップリンク送信の様々な態様は、これらおよび他の規制要件を満たすために、規格化されたＬＴＥ技法に関して調整され得る。２つの非限定的な例では、アップリンクリソース割振りとトランスポートブロックサイズ（ＴＢＳ）決定とに関係する規格化されたＬＴＥ技法は、ＬＴＥ−Ｕにおける使用のために調整され得る。したがって、（たとえば、ＬＴＥ−Ｕでない）認可スペクトルにわたるＬＴＥにおけるアップリンクリソース割振りとＴＢＳ決定とについての説明を与えることが有用であり得る。
【００２１】
[0028]（たとえば、ＬＴＥ−Ｕでない）認可スペクトルにわたるＬＴＥでは、（たとえば、スケジューラが各送信についてリソースブロック（ＲＢ）を割り振り得る方法を指定する）２つのタイプのアップリンクリソース割振りスキームがサポートされる。タイプ０では、連続するアップリンクリソース割振りがあり、これは、リソースが各スロット内で割り振られることを意味する。スロットホッピングが可能にされ得、１ビットフラグを使用する。リソース割振りのためのビット数は、ビット数＝ceiling(log2(N*(N+1)/2))という式によって決定され、ここで、Ｎは、アップリンクにおける物理リソースブロック（ＰＲＢ：physical resource block）の数である。たとえば、２０ＭＨｚシステムについてＮ＝１００個のＲＢである場合、リソース割振りのために使用されるビット数は１３であり得る。
【００２２】
[0029]タイプ１では、デュアルクラスタアップリンクリソース割振りがあり得る。スロットホッピングはタイプ１では可能にされず、これは、（タイプ０に関して説明した）スロットホッピングフラグのために予約された１ビットが利用可能であり、何らかの他のデータおよび／または機能のために使用され得ることを意味する。タイプ１では、様々なダウンリンク制御情報（ＤＣＩ：downlink control information）フォーマットが利用可能である。一態様では、ＤＣＩは、無線ネットワーク一時識別子のためのアップリンクおよび／またはダウンリンクにおけるリソース割当てを示し得る。特に、ＤＣＩは、たとえば（物理ダウンリンク共有チャネル（ＰＤＳＣＨ）のための）ダウンリンクリソース割当ておよび（物理アップリンク共有チャネル（ＰＵＳＣＨ）のための）アップリンク送信許可を含む、物理ダウンリンク制御チャネル（ＰＤＣＣＨ）上で送信される制御シグナリングメッセージを含み得る。
【００２３】
[0030]たとえば、ＤＣＩフォーマット０について、リソース割振りのためのビット数は、ビット数＝１＋ceiling(log2(N*(N+1)/2))という式によって与えられ、ここで、追加の１ビット（たとえば、式における１の追加）は、未使用の１ビットスロットホッピングフラグである。ＤＣＩフォーマット４では、リソース割振りのためのビット数は、ビット数＝max{ceiling(log2(N*(N+1)/2)), ceiling(log2(Nchoosek(ceiling(N/P)+1, 4)))}という式によって与えられ、ここで、Ｐは、システム帯域幅に応じて最高４つのＲＢであり得るリソースブロックグループ（ＲＢＧ）サイズである。
【００２４】
[0031]（たとえば、ＬＴＥ−Ｕでない）認可スペクトルにわたるＬＴＥでは、アップリンクＴＢＳは、（１）特定のデータを送信するために必要なＲＢの数と、（２）システム構成に関連する変調コーディングスキーム（ＭＣＳ：modulated coding scheme）とに基づいて決定され得、これらの両方はＰＵＳＣＨにインデックス付けされる。ＰＵＳＣＨは、スケジュールされたデータトラフィックと、いくつかの態様では、同じサブフレーム中で送信される制御シグナリングとを搬送するアップリンクチャネルであり得る。さらに、ＭＣＳは、送信の変調次数およびコードレートを示すかまたはさもなければ包含し得る。ＭＣＳは送信の情報データレートを含み得る。さらに、ＴＢＳは、トランスポートブロック中のビット数を示すかまたはそれに対応し得る。
【００２５】
[0032]より詳細には、たとえば、リソースブロックの数ＮPRBは列インデックスＮ’PRBにマッピングされ得、Ｎ’PRBは、（いくつかのｆｌｏｏｒ（．）およびｍａｘ（．）演算をもつ）Ｎ’PRB＝α＊ＮPRBという式によって与えられ得、ここで、時分割複信（ＴＤＤ）における特殊サブフレームではα＝０．７５または０．３７５であり、その場合、αはスケーリングファクタとして使用され、他の場合はα＝１である。ＭＣＳインデックスは、３ＧＰＰ規格仕様におけるテーブルによって与えられる行インデックスＩTBSにマッピングされる。ＴＢＳは、入力として列インデックスＮ’PRBと行インデックスＩTBSとを使用して、ルックアップテーブルから決定され得る。
【００２６】
[0033]本態様によれば、（たとえば、ＬＴＥ−Ｕでない）認可スペクトルにわたるＬＴＥのためのアップリンクリソース割振りとＴＢＳ決定のための上記で説明した技法は、ＬＴＥが無認可スペクトルにわたって使用されるとき（たとえば、ＬＴＥ−Ｕ）の規制要件を満たすために調整され得る。したがって、一態様では、（ＰＵＳＣＨリソース割当てと呼ばれることもある）アップリンクリソース割振りはマルチクラスタＳＣ−ＦＤＭＡスキームに基づき得る。一例として、そのようなスキームは、無認可スペクトルにわたるＬＴＥ使用（たとえば、ＬＴＥ−Ｕ）のための規制を満たすために必要とされる８０％占有を満たすために、１０個のＲＢの最小グラニュラリティを使用するＲＢレベルインターリービングを含み得る。一例では、２０メガヘルツ（ＭＨｚ）システムでは、２０ＭＨｚ公称帯域幅を有するチャネル内で使用可能な１００個のＲＢ（１８ＭＨｚ）の８０％よりも大きい、９１個のＲＢ（１６．４ＭＨｚ）を割り振るために、最高１０個のＰＵＳＣＨが多重化され得る。この概念を基礎として、本態様に従って、アップリンクリソース割振りとＴＢＳ決定とがＬＴＥ−Ｕにおける使用のために設計され得る。
【００２７】
[0034]図１を参照すると、ＬＴＥネットワークアーキテクチャ１００は、無認可スペクトルにわたるアップリンクリソース割振りとトランスポートブロックサイズ決定とのために構成された態様を含み得る。ＬＴＥネットワークアーキテクチャ１００は、発展型パケットシステム（ＥＰＳ）１００と呼ばれることがある。ＥＰＳ１００は、ＵＥ１０２と総称される１つまたは複数のユーザ機器（ＵＥ）と、発展型ＵＭＴＳ地上波無線アクセスネットワーク（Ｅ−ＵＴＲＡＮ）１０４と、発展型パケットコア（ＥＰＣ）１１０と、ホーム加入者サーバ（ＨＳＳ）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者には容易に諒解されるように、本開示全体にわたって提示される様々な概念は、回線交換サービスを提供するネットワークに拡張され得る。
【００２８】
[0035]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、基地トランシーバ局、無線基地局、無線トランシーバ、マクロセル、スモールセル、フェムトセル、ピコセル、トランシーバ機能、基本サービスセット（ＢＳＳ）、拡張サービスセット（ＥＳＳ）、または何らかの他の好適な用語で呼ばれることもある。ｅＮＢ１０６は、ＵＥ１０２にＥＰＣ１１０へのアクセスポイントを与える。
【００２９】
[0036]ＵＥ１０２の例としては、セルラーフォン、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、モノのインターネット（Internet-of-Things）のためのデバイス、または何らかの他の好適な用語で呼ばれることもある。
【００３０】
[0037]ｅＮＢ１０６は、Ｓ１インターフェースによってＥＰＣ１１０に接続される。ＥＰＣ１１０は、モビリティ管理エンティティ（ＭＭＥ）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ）と、ＰＳストリーミングサービス（ＰＳＳ）とを含み得る。
【００３１】
[0038]本明細書で説明するように、８０％占有を満たすためにアップリンクリソース割振りグラニュラリティが粗グラニュラリティを有するという制約により、ＴＢＳ決定の何らかの調整が必要である。１０ＲＢインターレースサイズを仮定すると、（たとえば、ＬＴＥ−Ｕでない）認可スペクトルスキームを介したＬＴＥによれば、１０個ごとのＲＢに対応する（たとえば、ＲＢ１０、２０、３０などにおける）ＴＢＳのみが決定され得る。しかしながら、送信されるべき特定のデータが極めて小さい（たとえば、リンク観点から１ＲＢのリソースのみを必要とする）場合、その特定のデータをトランスポートするために１０個のＲＢが使用されるのを必要とすることは不要である。さらに、たとえば、αなどのスケーリングファクタを使用することは、たとえば、それはＴＢＳを選択するときに実際のリソース割振りを考慮に入れないので、規格化されたＬＴＥのリソース割振りとＴＢＳ決定とに関して本明細書で説明するように、そのようなシナリオではＴＢＳを適切に調整するのに不十分であり得る。
【００３２】
[0039]したがって、一態様では、ＴＢＳ決定は、アップリンクリソース割振りサイズと、ＭＣＳインデックスと、オフセットパラメータとに基づいて行われ得る。本態様では、ＵＥ１０２は、ＤＣＩ（図示せず）を介して少なくとも１つの示された係数（indicated coefficient）１５２を受信することと、少なくとも１つの示された係数１５４と何らかのタイプの係数マッピングとのうちの対応する１つに基づいて少なくとも１つの係数１５４を決定することとを行うように構成された係数決定構成要素１３１を含む。
【００３３】
[0040]一態様では、少なくとも１つの係数１５４がオフセットパラメータ（Δ）および／またはスケーリングファクタ（α）を含む場合、係数決定構成要素１３１はオフセットパラメータ決定構成要素１３３および／またはスケーリングファクタ決定構成要素１３５を含み得る。オフセットパラメータ決定構成要素１３３は、ＤＣＩ（図示せず）または他のシグナリング手法を介してネットワークによってＵＥ１０２に与えられる、示されたオフセットパラメータ（示されたΔ）に基づいてオフセットパラメータ（Δ）を決定するように構成され得る。スケーリングファクタ決定構成要素１３５は、同じくＤＣＩ（図示せず）または他のシグナリング手法を介してネットワークによってＵＥ１０２に与えられる、示されたスケーリングファクタ（示されたα）に基づいてスケーリングファクタ（α）を決定するように構成され得る。
【００３４】
[0041]一態様では、オフセットパラメータ（Δ）は、アップリンクＤＣＩによって動的に示されるパラメータである。オフセットパラメータ（Δ）の値を示すために４ビットの使用を仮定すると、表１は、ＤＣＩによって与えられる示されたオフセットパラメータ（示されたΔ）（たとえば、４ビット）と、（以下でより詳細に説明する）ＴＢＳ列インデックス（Ｎ’PRB）を決定するために式において使用されるべきオフセットパラメータ（Δ）との間の可能なマッピングを示している。オフセットパラメータ決定構成要素１３３は、示されたオフセットパラメータ（示されたΔ）に基づいてオフセットパラメータ（Δ）を決定するために（表１の例などにおける）そのようなテーブルを使用するように構成され得る。表１の非限定的な例は、オフセットパラメータ（Δ）が０〜９の値を有することができるように、１０ＲＢインターレースを仮定し、したがって、ＴＢＳ列インデックス（Ｎ’PRB）は、１〜１０の対応する値を有することができる。いくつかの特殊サブフレーム（たとえば、たとえばクリアチャネルアセスメント（ＣＣＡ：clear channel assessment）を免除された送信（ＣＥＴ：CCA exempt transmission）を含んでいるサブフレーム中でのアップリンク送信のためにサブフレームの一部分のみが使用され得るサブフレーム）では、ＲＢが１０個未満のＴＢＳが決定され得る場合、Δのためのエントリのいくつかは無効であり得る。たとえば、スケーリングファクタ（α）＝０．５の場合、オフセットパラメータ（Δ）値は０〜４であり、５〜９は無効であり得る。  
【表１】
0006490672.tif 000002
【００３５】
[0042]一態様では、スケーリングファクタ（α）は、サブフレームタイプに依存するパラメータである。通常サブフレームでは、α＝１である。特殊サブフレームまたはＣＥＴでは、α＜１であり、その結果、非限定的な一例では、アップリンク送信が１つのスロット中で行われる場合、α＝０．５である。アップリンク送信のために利用可能なサブフレームの部分に応じて、αの２つ以上の値が選定され得る。スケーリングファクタ決定構成要素１３５は、サブフレームのタイプを決定し、それに基づいて、スケーリングファクタ（α）を決定するように構成され得る。
【００３６】
[0043]係数決定構成要素１３１は、少なくとも１つの係数１５４として、決定されたオフセットパラメータ（Δ）および決定されたスケーリングファクタ（α）を、ＴＢＳ列インデックス計算構成要素１４１に与えるように構成され得る。
【００３７】
[0044]本態様では、ＴＢＳ決定はオフセットパラメータ（Δ）とスケーリングファクタ（α）とに基づく。ＴＢＳ決定は、たとえば、通常サブフレーム、特殊サブフレーム、およびＣＥＴについて異なるＴＢＳが決定され得るなど、サブフレームタイプにも基づき得る。特に、ＬＴＥ−Ｕでは、ＴＢＳ列インデックス計算構成要素１４１は、少なくとも１つの係数１５４、オフセットパラメータ（Δ）およびスケーリングファクタ（α）と、Ｎ’PRB＝ｍａｘ｛ｆｌｏｏｒ（α＊ＮPRB）−Δ，１｝という式とに基づいてＴＢＳ列インデックス（Ｎ’PRB）を決定するように構成され得、ここで、ＮPRBは、送信の準備ができているとＵＥ１０２が決定した、したがって送信機１４９に与えられる、データ１２９を送信するために必要とされるリソースブロック（ＲＢ）の数である。ＮPRB１６２は、データ関係の構成要素（図示せず）によってＴＢＳ列インデックス計算構成要素１４１に与えられ得る。このようにして、列インデックスＮ’PRBは、すべての可能な列エントリと、したがって、すべての可能なＴＢＳとを実質的にカバーし得る。ＴＢＳ列インデックス計算構成要素１４１は、決定されたＴＢＳ列インデックス（Ｎ’PRB）１５６をＴＢＳ決定構成要素１４５に与えるように構成され得る。
【００３８】
[0045]別の態様では、ＬＴＥ−ＵのためのＴＢＳは、リソース割振りサイズに依存する値を有する調整ファクタＡおよび／またはデータの送信１２９のために使用されるべきサブフレームタイプに基づいて決定され得る。本態様では、係数決定構成要素１３１は、サブフレームタイプに応じて調整ファクタ（Ａ）を決定するように構成された調整ファクタ決定構成要素１３７を含み得、ＤＣＩ（図示せず）の一部としてネットワークによって与えられる示された調整ファクタ（示されたＡ）に基づくことができる。Ａを示すためにＤＣＩによる４ビットの使用を仮定すると、表２は、ＤＣＩ指示されたＡ（DCI-indicated A）と、（１）通常サブフレームのためのＡの値と、（２）特殊サブフレームおよび／またはＣＥＴのためのＡの値との間の可能なマッピングを示している。  
【表２】
0006490672.tif 000003
【００３９】
[0046]係数決定構成要素１３１は、少なくとも１つの係数１５４として、決定された調整ファクタＡを、ＴＢＳ列インデックス計算構成要素１４１に与えるように構成され得る。本態様では、ＴＢＳ列インデックス計算構成要素１４１は、Ａと、Ｎ’PRB＝max{floor(A(NPRB)*NPRB),1}という式とに基づいて、ＴＢＳ列インデックスＮ’PRBを決定するように構成され得、ここで、ＮPRBは、送信の準備ができているとＵＥ１０２が決定した、したがって送信機１４９に与えられる、データ１２９を送信するために必要とされるリソースブロック（ＲＢ）の数である。ＮPRB１６２は、データ関係の構成要素（図示せず）によってＴＢＳ列インデックス計算構成要素１４１に与えられ得る。このようにして、列インデックスＮ’PRBは、すべての可能な列エントリと、したがって、すべての可能なＴＢＳとを実質的にカバーし得る。ＴＢＳ列インデックス計算構成要素１４１は、決定されたＴＢＳ列インデックス（Ｎ’PRB）１５６をＴＢＳ決定構成要素１４５に与えるように構成され得る。
【００４０】
[0047]いずれの場合も（たとえば、係数決定構成要素１３１中に含まれる構成要素、ならびにＴＢＳ列インデックス計算構成要素１４１によってＴＢＳ列インデックスＮ’PRBを決定するために使用される式にかかわらず）、ＵＥ１０２は、ＴＢＳ列インデックス（Ｎ’PRB）１５６を受信することと、それを（特定のＴＢＳを識別する列および行インデックスを有する）ＴＢＳテーブル１４７に適用してＴＢＳを決定することとを行うように構成されたＴＢＳ決定構成要素１４５を含む。一態様では、ＴＢＳ決定構成要素１４５はまた、適切なＴＢＳを識別するための列インデックスと行インデックスの両方を有するために、ＴＢＳテーブル１４７に変調コーディングスキーム（ＭＣＳ：modulated coding scheme）行インデックス（ＩTBS）を適用するように構成され得る。本態様では、ＭＣＳ行インデックス（ＩTBS）は、３ＧＰＰ規格に従ってＭＣＳ行インデックス（ＩTBS）への物理アップリンク共有チャネル（ＰＵＳＣＨ）に割り当てられたＭＣＳインデックスのマッピングに基づいて決定され得る。ＴＢＳ決定構成要素１４５は、決定されたＴＢＳ１５８を送信機１４９に与えるように構成され得、送信機１４９は、ＴＢＳ１５８に従ってデータ１２９をネットワークに送信するように構成され得る。
【００４１】
[0048]一態様（図示せず）では、（たとえば、ＬＴＥ−Ｕでない）認可スペクトルにわたるＬＴＥでは、たとえば、ＭＣＳインデックスが２９であり、ＣＱＩ要求ビットが１に設定され、ＮPRBが４以下である（たとえば、ＮPRB≦４）ことを示すことによって、ＰＵＳＣＨ上での非周期チャネル品質インジケータ（ＣＱＩ）のみの送信（aperiodic channel quality indicator (CQI)-only transmissions）（たとえば、アップリンク共有チャネル（ＵＬ−ＳＣＨ）を介したアップリンクデータなしのアップリンク上での送信）が、ｅノードＢ１０６および／または他のｅノードＢ１０８のうちの１つにアップリンク上で送信しているＵＥ１０２に示され得る。
【００４２】
[0049]ＬＴＥ−Ｕでは、一態様（図示せず）では、ｅノードＢ１０６および／または他のｅノードＢ１０８は、認可スペクトルにわたるＬＴＥのために使用されるのと同様の方法でＣＱＩのみの送信（CQI-only transmission）をＵＥ１０２に示し得る。たとえば、ＭＣＳインデックス＝２９であり、ＣＱＩ要求ビットが１に設定され、ＮPRB≦１０であるとき、ＵＥ１０２は、非周期ＣＱＩのみの送信を行うことを通知され得る。別の態様では、ｅノードＢ１０６および／または他のｅノードＢ１０８のうちの１つは、上記で説明した４ビットオフセットパラメータ（Δ）の１ビットを使用してＣＱＩのみの送信をＵＥ１０２に示し得る。たとえば、表３は、４ビットオフセットパラメータ（Δ）を使用してどのようにＣＱＩのみの送信が示され得るかを示している。  
【表３】
0006490672.tif 000004
【００４３】
[0050]ＬＴＥ−Ｕはまた、ＤＣＩフォーマット４がそれに適用される多入力多出力（ＭＩＭＯ）通信のために使用され得る。したがって、一態様（図示せず）では、ＭＩＭＯのために必要とされる２つのコードワードは、本明細書で説明するように、同じオフセットパラメータ（Δ）および／またはスケーリングファクタ（α）値を有し得る。別の態様では、２つのコードワードのために使用されるオフセットパラメータ（Δ）および／またはスケーリングファクタ（α）値は互いに異なり得る。また別の態様では、オフセットパラメータ（Δ）値とスケーリングファクタ（α）値とのうちの一方は両方のコードワードについて同じであり得るが、オフセットパラメータ（Δ）値とスケーリングファクタ（α）値とのうちの他方は２つのコードワードの各々について異なり得る（たとえば、２つのコードワードについて同じオフセットパラメータ（Δ）値、２つのコードワードについて異なるスケーリングファクタ（α）値）。
【００４４】
[0051]一態様では、無認可スペクトルにわたるＬＴＥ（たとえば、ＬＴＥ−Ｕ）のためのアップリンクリソース割振りは、ビットマップベースの手法を使用して、たとえば、（図１に示されていない）ビットマップ決定構成要素を介して実施され得る。非限定的な一例では、２０ＭＨｚシステムにおいて、各インターレースが、１０個のインターリーブされたＲＢを有し、１０個のインターレースがある場合、ＬＴＥ−Ｕのためのアップリンクリソース割振りを示すために、表４において以下に示されているものなど、１０ビットビットマップが使用され得る。スロットホッピングはサポートされないことがある。  
【表４】
0006490672.tif 000005
【００４５】
[0052]一態様では、ビットマップベースの手法におけるさらなるフレキシビリティが可能であり得る。たとえば、このビットマップベースの手法は、本例において、１０のインターレースについて、ＲＢが１０個ごとに選択され得るなど、インターレースサイズの整数倍のリソース割振りをサポートする。しかしながら、少なくともすでに１つの完全なインターレースが割り当てられている場合、より細かいグラニュラリティ（たとえば、１０未満）が使用され得る。一例では、ビットマップは、（たとえば、１０個のＲＢごとに）１つのインターレース＋（たとえば、５つのＲＢごとに）１／２インターレースの何らかの組合せをサポートし得る。ただし、場合によっては、そのようなさらなるフレキシビリティの利益は、このフレキシビリティをサポートために必要とされ得る追加のシグナリングオーバーヘッドの損失を上回り得る。
【００４６】
[0053]２０ＭＨｚシステムにおける（たとえば、ＬＴＥ−Ｕでない）認可スペクトルにわたるＬＴＥでは、アップリンクリソース割振りのためにＤＣ１フォーマット０を使用することは、合計１４ビットについて、スロットホッピングフラグのための１ビット＋リソース割振りのための１３ビットを含み得る。ＤＣＩフォーマット４を使用すると、スロットホッピングはサポートされないので、すべての１４ビットがリソース割振りのために使用され得る。ＬＴＥ−Ｕでは、本明細書で説明するビットマップベースの手法に従って、リソース割振りのために１０ビットが必要とされる。したがって、ＬＴＥにおけるアップリンクリソース割振りと、ＬＴＥ−Ｕにおけるアップリンクリソース割振りとの間に４ビットの差がある。したがって、ＬＴＥ−Ｕにおいて、（アップリンクリソース割振りのために必要とされない）これらの余分の４ビットは、何らかの他のデータおよび／または目的のために使用され得る。非限定的な一例では、これらの余分の４ビットは、ＬＴＥ−Ｕにおけるダウンリンクリソース割振りのために使用され得る。
【００４７】
[0054]図２を参照すると、トランスポートブロックサイズ（ＴＢＳ）を決定するための、および一態様ではアップリンクリソースを割り振るための方法２００の態様は、図１のＵＥ１０２によって実施され得る。方法２００は、説明を簡単にするために一連の行為として図示し説明される。ただし、いくつかの行為は、１つまたは複数の態様によれば、本明細書で図示し説明する順序とは異なる順序で、および／または他の行為と同時に行われ得るので、本方法（およびそれに関係するさらなる方法）は行為の順序によって限定されないことを理解し、諒解されたい。たとえば、本方法は、状態図など、一連の相互に関係する状態またはイベントとして代替的に表現され得ることを諒解されたい。さらに、本明細書で説明する１つまたは複数の特徴による方法を実装するために、図示のすべての行為が必要とされるとは限らない。
【００４８】
[0055]たとえば、図１の（様々な態様では、オフセットパラメータ決定構成要素１３３、スケーリングファクタ決定構成要素１３５、および／または調整ファクタ決定構成要素１３７を含み得る）係数決定構成要素１３１、ＴＢＳ列インデックス計算構成要素１４１、ＴＢＳ決定構成要素１４５、および／または送信機１４９は、方法２００の態様を実施するように構成され得る。
【００４９】
[0056]２１０において、方法２００は、アップリンク上で送信されるべきデータを識別することを含み、ここにおいて、データはリソースブロックの数（ＮPRB）に関連する。たとえば、（図１に示されていない）データ識別（または他のデータ関係の）構成要素を介したＵＥ１０２は、アップリンク上での送信の準備ができたデータとしてデータ１２９を識別するように構成され得る。いくつかの態様では、アップリンクは、ＵＥからネットワークエンティティ（たとえば、ｅノードＢ）へのデータの送信を可能にするように構成されたアップリンクチャネルを含むか、または代替的にそのように呼ばれることがある。データ１２９は、アップリンク上で送信されるべき特定のサイズと、したがって、リソースブロックの数（ＮPRB）とに関連し得る。このようにして、（本明細書で説明するように）ネットワークへの送信のための適切なＴＢＳが決定されると、データ１２９は、そのような送信のために送信機１４９に通信され得る。
【００５０】
[0057]２２０において、方法２００は、ダウンリンク制御情報（ＤＣＩ）を介して少なくとも１つの示された係数を受信することを含む。たとえば、係数決定構成要素１３１は、ＤＣＩ（図示せず）を介してまたはそれに基づいてネットワークから少なくとも１つの示された係数１５２を受信し得る。一態様では、少なくとも１つの示された係数１５２のうちの１つは、示されたオフセットパラメータ（示されたΔ）であり、少なくとも１つの示された係数のうちの１つは、示されたスケーリングファクタ（示されたα）である。別の態様では、少なくとも１つの示された係数１５２は、示された調整ファクタ（示されたＡ）である。
【００５１】
[0058]２３０において、方法２００は、少なくとも１つの示された係数に基づいて少なくとも１つの係数を決定することを含む。一態様では、オフセットパラメータ決定構成要素１３３は、たとえば、表１に示されたマッピングなどのマッピングに従って、示されたオフセットパラメータ（示されたΔ）に基づいてオフセットパラメータ（Δ）を決定するように構成され得る。一態様では、スケーリングファクタ決定構成要素１３５は、データ１２９が送信されることになるサブフレームのタイプに応じて、示されたスケーリングファクタ（示されたα）に基づいてスケーリングファクタ（α）を決定するように構成され得る。スケーリングファクタ決定構成要素１３５は、サブフレームのタイプを決定し、それに基づいて、スケーリングファクタ（α）を決定するように構成され得る。たとえば、通常サブフレームについて、スケーリングファクタ決定構成要素１３５は、α＝１を決定し得る。たとえば、特殊サブフレームまたはＣＥＴについて、スケーリングファクタ決定構成要素１３５は、α＜１を決定し得、その結果、非限定的な一例では、アップリンク送信が１つのスロット中で行われる場合、α＝０．５である。いずれの場合も、係数決定構成要素１３１は、少なくとも１つの係数１５４をＴＢＳ列インデックス計算構成要素１４１に与えるように構成され得る。
【００５２】
[0059]２４０において、方法２００は、リソースブロックの数（ＮPRB）と少なくとも１つの係数とに基づいてトランスポートブロックサイズ列インデックス（Ｎ’PRB）を計算することを含む。たとえば、ＴＢＳ列インデックス計算構成要素１４１は、（少なくとも１つの示された係数１５２に基づいて係数決定構成要素１３１によって決定された）少なくとも１つの係数１５４を受信するように構成され得る。ＴＢＳ列インデックス計算構成要素１４１はまた、データ１２９に関連するリソースブロックの数（ＮPRB）を受信するように構成され得る。これに基づいて、ＴＢＳ列インデックス計算構成要素１４１は、ＴＢＳ列インデックス（Ｎ’PRB）を計算するように構成され得る。
【００５３】
[0060]少なくとも１つの係数１５４のうちの１つがオフセットパラメータ（Δ）であり、少なくとも１つの係数１５４のうちの１つがスケーリングファクタ（α）である態様では、ＴＢＳ列インデックス計算構成要素１４１は、Ｎ’ＰＲＢ＝max{floor(α*NPRB)-Δ, 1}という式に基づいてトランスポートブロックサイズ列インデックス（Ｎ’PRB）を計算するように構成され得る。少なくとも１つの係数１５４が調整ファクタ（Ａ）である態様では、ＴＢＳ列インデックス計算構成要素１４１は、Ｎ’ＰＲＢ＝max{floor(α(NPRB)*NPRB), 1}という式に基づいてＴＢＳ列インデックス（Ｎ’PRB）を計算するように構成され得る。いずれの場合も、ＴＢＳ列インデックス計算構成要素１４１は、計算されたＴＢＳ列インデックス（Ｎ’PRB）１５６をＴＢＳ決定構成要素１４５に与えるように構成され得る。
【００５４】
[0061]２５０において、方法２００は、トランスポートブロックサイズ列インデックスに少なくとも部分的に基づいてトランスポートブロックサイズを決定することを含む。たとえば、ＴＢＳ決定構成要素１４５は、ＴＢＳ列インデックス計算構成要素１４１からＴＢＳ列インデックス（Ｎ’PRB）１５６を受信し、それをＴＢＳテーブル１４７に適用してＴＢＳを決定するように構成され得る。一態様では、ＴＢＳ決定構成要素１４５はまた、適切なＴＢＳを識別するための列インデックスと行インデックスの両方を有するために、ＴＢＳテーブル１４７に変調コーディングスキーム（ＭＣＳ）行インデックス（ＩTBS）を適用するように構成され得る。本態様では、ＭＣＳ行インデックス（ＩTBS）は、３ＧＰＰ規格に従ってＭＣＳ行インデックス（ＩTBS）への物理アップリンク共有チャネル（ＰＵＳＣＨ）に割り当てられたＭＣＳインデックスのマッピングに基づいて決定され得る。ＴＢＳ決定構成要素１４５は、ＴＢＳ１５８を与えるように構成され得る。
【００５５】
[0062]２６０において、方法２００は、トランスポートブロックサイズに基づいてアップリンク上でデータを送信することを含む。たとえば、送信機１４９は、（上記で説明したように）データ１２９を受信し、また、ＴＢＳ決定構成要素１４５からＴＢＳ１５８を受信するように構成され得る。送信機１４９は、ＴＢＳ１５８に従ってアップリンク上でデータ１２９をネットワークに送信するように構成され得る。
【００５６】
[0063]一態様（図示せず）では、方法２００はまた、２つのコードワードを有する多入力多出力（ＭＩＭＯ）スキームに従って（送信機１４９を介して）データ１２９を送信することを含み得、ここにおいて、少なくとも１つの係数１５４は、２つのコードワードの各々について同じである必要はない。
【００５７】
[0064]一態様（図示せず）では、方法２００はまた、システム帯域幅に基づいてインターレース（Ｉ）の数を決定することと、システム帯域幅に基づいてインターリーブされたリソースブロック（ＲＢ）の数を決定することと、インターレース（Ｉ）の数とインターリーブされたリソースブロック（ＲＢ）の数とに基づいてビットマップを生成することと、ビットマップに基づいてリソースを割り振ることとを含み得る。
【００５８】
[0065]図３を参照すると、処理システム３１４を採用している装置３００のためのハードウェア実装形態の一例は、無認可スペクトルにわたるアップリンクリソース割振りとトランスポートブロックサイズ決定とのために構成された態様を含む。たとえば、装置３００は図１のＵＥ１０２であり得る。この例では、処理システム３１４は、バス３０２によって概略的に表されるバスアーキテクチャを用いて実装され得る。バス３０２は、処理システム３１４の特定の適用例および全体的な設計制約に応じて、任意の数の相互接続バスおよびブリッジを含み得る。バス３０２は、プロセッサ３０４によって概略的に表される１つまたは複数のプロセッサと、コンピュータ可読媒体３０６によって概略的に表されるコンピュータ可読媒体とを含む、様々な回路を互いにリンクさせる。バス３０２はまた、タイミングソース、周辺機器、電圧レギュレータ、および電力管理回路などの様々な他の回路をリンクさせ得るが、これらの回路は当技術分野においてよく知られており、したがって、これ以上説明しない。本態様によれば、装置３００が図１のＵＥ１０２である例では、バス３０２はまた、係数決定構成要素１３１と、ＴＢＳ列インデックス計算構成要素１４１と、ＴＢＳ決定構成要素１４５と、送信機１４９とをリンクさせ得る。
【００５９】
[0066]バスインターフェース３０８は、バス３０２とトランシーバ３１０との間のインターフェースを与える。トランシーバ３１０は、伝送媒体を介して様々な他の装置と通信するための手段を与える。装置の種類に応じて、ユーザインターフェース３１２（たとえば、キーパッド、ディスプレイ、スピーカ、マイクロフォン、ジョイスティック）も提供され得る。
【００６０】
[0067]プロセッサ３０４は、バス３０２を管理することと、コンピュータ可読媒体３０６に記憶されたソフトウェアの実行を含む一般的な処理とを担当する。ソフトウェアは、プロセッサ３０４によって実行されたとき、何らかの特定の装置のために、たとえば、無認可スペクトルにわたるアップリンクリソース割振りとＴＢＳ決定とを含む、本明細書で説明する様々な機能を処理システム３１４に実施させる。コンピュータ可読媒体３０６はまた、ソフトウェアを実行するときにプロセッサ３０４によって操作されるデータを記憶するために使用され得る。
【００６１】
[0068]図４は、無認可スペクトルにわたるアップリンクリソース割振りとトランスポートブロックサイズ決定とのために構成された態様を含む、ＬＴＥネットワークアーキテクチャ中のアクセスネットワーク４００の一例を示す図である。この例では、アクセスネットワーク４００はいくつかのセルラー領域（セル）４０２に分割される。図１のｅＮＢ１０６または他のｅＮＢ１０８であり得る、１つまたは複数のより低い電力クラスのｅＮＢ４０８は、セル４０２のうちの１つまたは複数と重複するセルラー領域４１０を有し得る。より低い電力クラスのｅＮＢ４０８は、フェムトセル（たとえば、ホームｅＮＢ（ＨｅＮＢ））、ピコセル、マイクロセル、またはリモートラジオヘッド（ＲＲＨ）であり得る。図１のｅＮＢ１０６および／または他のｅＮＢ１０８であり得る、マクロｅＮＢ４０４は各々、それぞれのセル４０２に割り当てられ、セル４０２中の、図１のＵＥ１０２であり得るすべてのＵＥ４０６に、ＥＰＣ１１０へのアクセスポイントを与えるように構成される。アクセスネットワーク４００のこの例では集中コントローラはないが、代替構成では集中コントローラが使用され得る。ｅＮＢ４０４は、無線ベアラ制御、承認制御、モビリティ制御、スケジューリング、セキュリティ、およびＳＧＷ１１６への接続を含む、すべての無線関係の機能を担う。
【００６２】
[0069]アクセスネットワーク４００によって採用される変調および多元接続スキームは、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ）、ＴＤＭＡを採用するモバイル通信用グローバルシステム（ＧＳＭ（登録商標））、ならびに、ＯＦＤＭＡを採用する、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００６３】
[0070]ｅＮＢ４０４は、ＭＩＭＯ技術をサポートする複数のアンテナを有し得る。ＭＩＭＯ技術の使用により、ｅＮＢ４０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために、単一のＵＥ４０６に送信されるか、または全体的なシステム容量を増加させるために、図１のＵＥ１０２と同じまたは同様であり得る複数のＵＥ４０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともにＵＥ４０６に到着し、これにより、ＵＥ４０６の各々はそのＵＥ４０６に宛てられた１つまたは複数のデータストリームを復元することが可能になる。ＵＬ上で、各ＵＥ４０６は、空間的にプリコーディングされたデータストリームを送信し、これにより、ｅＮＢ４０４は、空間的にプリコーディングされた各データストリームのソースを識別することが可能になる。
【００６４】
[0071]空間多重化は、概して、チャネル状態が良いときに使用される。チャネル状態があまり好ましくないときは、送信エネルギーを１つまたは複数の方向に集中させるためにビームフォーミングが使用され得る。これは、複数のアンテナを介した送信のためにデータを空間的にプリコーディングすることによって達成され得る。セルのエッジにおいて良好なカバレージを達成するために、送信ダイバーシティと組み合わせてシングルストリームビームフォーミング送信が使用され得る。
【００６５】
[0072]以下の詳細な説明において、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアにわたってデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００６６】
[0073]図５は、ＬＴＥにおけるＤＬフレーム構造の一例を示す図５００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについては、時間領域中に７個の連続するＯＦＤＭシンボル、すなわち８４個のリソース要素を含んでいる。拡張サイクリックプレフィックスについては、リソースブロックは、時間領域中に６個の連続するＯＦＤＭシンボルを含んでおり、７２個のリソース要素を有する。Ｒ５０２、５０４として示されるリソース要素のいくつかは、ＤＬ基準信号（ＤＬ−ＲＳ）を含む。ＤＬ−ＲＳは、（共通ＲＳと呼ばれることもある）セル固有ＲＳ（ＣＲＳ）５０２と、ＵＥ固有ＲＳ（ＵＥ−ＲＳ）５０４とを含む。ＵＥ−ＲＳ５０４は、対応する物理ＤＬ共有チャネル（ＰＤＳＣＨ）がその上にマッピングされるリソースブロック上のみで送信される。各リソース要素によって搬送されるビット数は変調スキームに依存する。したがって、ＵＥ（たとえば、図１のＵＥ１０２）が受信するリソースブロックが多いほど、また変調スキームが高いほど、ＵＥのデータレートは高くなる。
【００６７】
[0074]図６は、ＬＴＥにおけるＵＬフレーム構造の一例を示す図６００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００６８】
[0075]ＵＥ（たとえば、図１のＵＥ１０２）は、ｅＮＢに制御情報を送信するために、制御セクション中のリソースブロック６１０ａ、６１０ｂを割り当てられ得る。ＵＥは、ｅＮＢにデータを送信するために、データセクション中のリソースブロック６２０ａ、６２０ｂをも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００６９】
[0076]初期システムアクセスを実施し、物理ランダムアクセスチャネル（ＰＲＡＣＨ）６３０中でＵＬ同期を達成するために、リソースブロックのセットが使用され得る。ＰＲＡＣＨ６３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。ＰＲＡＣＨについては周波数ホッピングはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００７０】
[0077]図７は、ＬＴＥにおけるユーザプレーンおよび制御プレーンのための無線プロトコルアーキテクチャの一例を示す図７００である。たとえば図１のＵＥ１０２などのＵＥと、たとえば図１のｅＮＢ１０６および／または他のｅＮＢ１０８などのｅＮＢとのための無線プロトコルアーキテクチャが、レイヤ１、レイヤ２、およびレイヤ３という、３つのレイヤで示されている。レイヤ１（Ｌ１レイヤ）は最下位レイヤであり、様々な物理レイヤ信号処理機能を実装する。Ｌ１レイヤは、本明細書では物理レイヤ７０６と呼ばれる。レイヤ２（Ｌ２レイヤ）７０８は、物理レイヤ７０６の上にあり、物理レイヤ７０６を介したＵＥとｅＮＢとの間のリンクを担う。
【００７１】
[0078]ユーザプレーンでは、Ｌ２レイヤ７０８は、ネットワーク側のｅＮＢにおいて終端される、媒体アクセス制御（ＭＡＣ）サブレイヤ７１０と、無線リンク制御（ＲＬＣ）サブレイヤ７１２と、パケットデータコンバージェンスプロトコル（ＰＤＣＰ）７１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めて、Ｌ２レイヤ７０８の上にいくつかの上位レイヤを有し得る。
【００７２】
[0079]ＰＤＣＰサブレイヤ７１４は、様々な無線ベアラと論理チャネルとの間で多重化を行う。ＰＤＣＰサブレイヤ７１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとをもたらす。ＲＬＣサブレイヤ７１２は、上位レイヤデータパケットのセグメンテーションおよびリアセンブリと、紛失データパケットの再送信と、ハイブリッド自動再送要求（ＨＡＲＱ）による、順が狂った受信を補正するデータパケットの並べ替えとを行う。ＭＡＣサブレイヤ７１０は、論理チャネルとトランスポートチャネルとの間の多重化を行う。ＭＡＣサブレイヤ７１０はまた、１つのセルの中の様々な無線リソース（たとえば、リソースブロック）をＵＥの間で割り振ることを担う。ＭＡＣサブレイヤ７１０はまた、ＨＡＲＱ動作を担う。
【００７３】
[0080]制御プレーンでは、ＵＥおよびｅＮＢのための無線プロトコルアーキテクチャは、制御プレーンのためのヘッダ圧縮機能がないことを除いて、物理レイヤ７０６およびＬ２レイヤ７０８について実質的に同じである。制御プレーンはまた、レイヤ３（Ｌ３レイヤ）中に無線リソース制御（ＲＲＣ）サブレイヤ７１６を含む。ＲＲＣサブレイヤ７１６は、無線リソース（すなわち、無線ベアラ）を取得することと、ｅＮＢとＵＥとの間のＲＲＣシグナリングを使用して下位レイヤを構成することとを担う。
【００７４】
[0081]図８は、無認可スペクトルにわたるアップリンクリソース割振りとトランスポートブロックサイズ決定とのために構成された態様を含む、アクセスネットワーク中でＵＥ８５０と通信しているｅＮＢ８１０のブロック図である。ｅＮＢ８１０は、図１のｅＮＢ１０６および／または他のｅＮＢ１０８と同じまたは同様であり得、ＵＥ８５０は、係数決定構成要素１３１とＴＢＳ列インデックス計算構成要素１４１とＴＢＳ決定構成要素１４５とのうちの１つまたは複数を含めて、図１のＵＥ１０２と同じまたは同様であり得る。
【００７５】
[0082]ＤＬでは、コアネットワークからの上位レイヤパケットがコントローラ／プロセッサ８７５に与えられる。コントローラ／プロセッサ８７５はＬ２レイヤの機能を実装する。ＤＬでは、コントローラ／プロセッサ８７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ８５０への無線リソース割振りとを行う。コントローラ／プロセッサ８７５はまた、ＨＡＲＱ動作と、紛失パケットの再送信と、ＵＥ８５０へのシグナリングとを担う。
【００７６】
[0083]送信（ＴＸ）プロセッサ８１６は、Ｌ１レイヤ（すなわち、物理レイヤ）のための様々な信号処理機能を実装する。信号処理機能は、ＵＥ８５０における前方誤り訂正（ＦＥＣ）と、様々な変調スキーム（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づく信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器８７４からのチャネル推定値は、コーディングおよび変調スキームを決定するために、ならびに空間処理のために使用され得る。チャネル推定値は、ＵＥ８５０によって送信される基準信号および／またはチャネル状態フィードバックから導出され得る。各空間ストリームは、次いで、別個の送信機８１８ＴＸを介して異なるアンテナ８２０に与えられる。各送信機８１８ＴＸは、送信のためにそれぞれの空間ストリームでＲＦキャリアを変調する。
【００７７】
[0084]ＵＥ８５０において、各受信機８５４ＲＸは、それのそれぞれのアンテナ８５２を通して信号を受信する。各受信機８５４ＲＸは、ＲＦキャリア上に変調された情報を復元し、受信（ＲＸ）プロセッサ８５６に情報を与える。ＲＸプロセッサ８５６は、Ｌ１レイヤの様々な信号処理機能を実装する。ＲＸプロセッサ８５６は、ＵＥ８５０に宛てられた任意の空間ストリームを復元するために、情報に対して空間処理を実施する。複数の空間ストリームがＵＥ８５０に宛てられた場合、それらはＲＸプロセッサ８５６によって単一のＯＦＤＭシンボルストリームに合成され得る。ＲＸプロセッサ８５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと基準信号とは、ｅＮＢ８１０によって送信される、可能性が最も高い信号コンスタレーションポイントを決定することによって復元され、復調される。これらの軟判定（soft decisions）は、チャネル推定器８５８によって計算されるチャネル推定値に基づき得る。軟判定は、次いで、物理チャネル上でｅＮＢ８１０によって最初に送信されたデータと制御信号とを復元するために復号され、デインターリーブされる。データと制御信号とは、次いでコントローラ／プロセッサ８５９に与えられる。
【００７８】
[0085]コントローラ／プロセッサ８５９はＬ２レイヤを実装する。コントローラ／プロセッサは、プログラムコードとデータとを記憶するメモリ８６０に関連付けられ得る。メモリ８６０はコンピュータ可読媒体と呼ばれることがある。ＵＬでは、コントローラ／プロセッサ８５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上のすべてのプロトコルレイヤを表すデータシンク８６２に与えられる。また、様々な制御信号が、Ｌ３処理のためにデータシンク８６２に与えられ得る。コントローラ／プロセッサ８５９はまた、ＨＡＲＱ動作をサポートするために肯定応答（ＡＣＫ）および／または否定応答（ＮＡＣＫ）プロトコルを使用した誤り検出を担う。
【００７９】
[0086]ＵＬでは、データソース８６７は、コントローラ／プロセッサ８５９に上位レイヤパケットを与えるために使用される。データソース８６７は、Ｌ２レイヤの上のすべてのプロトコルレイヤを表す。ｅＮＢ８１０によるＤＬ送信に関して説明した機能と同様に、コントローラ／プロセッサ８５９は、ヘッダ圧縮と、暗号化と、パケットのセグメンテーションおよび並べ替えと、ｅＮＢ８１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ８５９はまた、ＨＡＲＱ動作と、紛失パケットの再送信と、ｅＮＢ８１０へのシグナリングとを担う。
【００８０】
[0087]ｅＮＢ８１０によって送信される基準信号またはフィードバックからチャネル推定器８５８によって導出されるチャネル推定値は、適切なコーディングおよび変調スキームを選択することと、空間処理を容易にすることとを行うために、ＴＸプロセッサ８６８によって使用され得る。ＴＸプロセッサ８６８によって生成される空間ストリームは、別個の送信機８５４ＴＸを介して異なるアンテナ８５２に与えられる。各送信機８５４ＴＸは、送信のためにそれぞれの空間ストリームでＲＦキャリアを変調する。
【００８１】
[0088]ＵＬ送信は、ＵＥ８５０における受信機機能に関して説明した方法と同様の方法でｅＮＢ８１０において処理される。各受信機８１８ＲＸは、それのそれぞれのアンテナ８２０を通して信号を受信する。各受信機８１８ＲＸは、ＲＦキャリア上で変調された情報を復元し、情報をＲＸプロセッサ８７０に与える。ＲＸプロセッサ８７０はＬ１レイヤを実装し得る。
【００８２】
[0089]コントローラ／プロセッサ８７５はＬ２レイヤを実装する。コントローラ／プロセッサ８７５は、プログラムコードとデータとを記憶するメモリ８７６に関連付けられ得る。メモリ８７６はコンピュータ可読媒体と呼ばれることがある。ＵＬでは、制御／プロセッサ８７５は、ＵＥ８５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ８７５からの上位レイヤパケットは、コアネットワークに与えられ得る。コントローラ／プロセッサ８７５はまた、ＨＡＲＱ動作をサポートするためにＡＣＫおよび／またはＮＡＣＫプロトコルを使用した誤り検出を担う。
【００８３】
[0090]本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関係のエンティティを含むものとする。たとえば、構成要素は、限定はしないが、プロセッサ上で動作するプロセス、プロセッサ、オブジェクト、実行ファイル、実行スレッド、プログラム、および／またはコンピュータであり得る。例として、コンピューティングデバイス上で動作しているアプリケーションと、そのコンピューティングデバイスの両方が構成要素であり得る。１つまたは複数の構成要素がプロセスおよび／または実行スレッド内に存在することができ、構成要素は１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と対話し、および／またはインターネットなどのネットワーク上で他のシステムと対話する１つの構成要素からのデータのような、１つまたは複数のデータパケットを有する信号に従うことなどによって、ローカルプロセスおよび／またはリモートプロセスを介して通信し得る。
【００８４】
[0091]さらに、本明細書ではワイヤード端末またはワイヤレス端末であり得る端末に関して、様々な態様について説明した。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関して、様々な態様について説明した。基地局は、ワイヤレス端末と通信するために利用され得、アクセスポイント、ノードＢ、または何らかの他の用語で呼ばれることもある。
【００８５】
[0092]さらに、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを採用する」という句は、以下の場合、すなわち、ＸがＡを採用する場合、ＸがＢを採用する場合、またはＸがＡとＢの両方を採用する場合のいずれかによって満足される。さらに、本出願と添付の特許請求の範囲とにおいて使用する冠詞「ａ」と「ａｎ」は、別段に規定されていない限り、または単数形を対象とすべきであると文脈から明らかでない限り、概して、「１つまたは複数」を意味すると解釈されるべきである。
【００８６】
[0093]本明細書で説明した技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」と「ネットワーク」という用語は、しばしば互換的に使用される。ＣＤＭＡシステムは、ユニバーサル地上波無線アクセス（ＵＴＲＡ）、ｃｄｍａ２０００などの無線技術を実装し得る。ＵＴＲＡは、広帯域ＣＤＭＡ（Ｗ−ＣＤＭＡ）と、ＣＤＭＡの他の変形態とを含む。さらに、ｃｄｍａ２０００は、ＩＳ−２０００規格と、ＩＳ−９５規格と、ＩＳ−８５６規格とをカバーする。ＴＤＭＡシステムは、モバイル通信用グローバルシステム（ＧＳＭ）などの無線技術を実装し得る。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ□などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを採用し、アップリンク上ではＳＣ−ＦＤＭＡを採用する、Ｅ−ＵＴＲＡを使用するＵＭＴＳのリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ）と称する団体からの文書に記載されている。さらに、ｃｄｍａ２０００およびＵＭＢは、「第３世代パートナーシッププロジェクト２」（３ＧＰＰ２）と称する団体からの文書に記載されている。さらに、そのようなワイヤレス通信システムは、追加として、不対無認可スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムを含み得る。
【００８７】
[0094]本明細書で開示する態様および／または例に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは本明細書で説明した機能を実施するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。また、プロセッサは、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／または行為のうちの１つまたは複数を実施するように動作可能な１つまたは複数のモジュールを備え得る。
【００８８】
[0095]さらに、本明細書で開示する態様に関して説明した方法またはアルゴリズムのステップおよび／または行為は、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に存在し得る。さらに、ＡＳＩＣはユーザ端末中に存在し得る。代替として、プロセッサおよび記憶媒体は、ユーザ端末中のディスクリートコンポーネントとして存在し得る。さらに、いくつかの態様では、方法またはアルゴリズムのステップおよび／または行為は、コンピュータプログラム製品に組み込まれ得る、機械可読媒体および／またはコンピュータ可読媒体上のコードおよび／または命令の１つまたは任意の組合せ、あるいはそのセットとして存在し得る。
【００８９】
[0096]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびｂｌｕ−ｒａｙ（登録商標）ディスク（disc）を含み、ディスク（disk）は、通常、データを磁気的に再生し、ディスク（disc）は、通常、データをレーザーで光学的に再生する。上述の組合せもコンピュータ可読媒体の範囲内に含まれるべきである。
【００９０】
[0097]上記の開示では例示的な態様および／または例について論じたが、添付の特許請求の範囲によって定義される説明した態様および／または例の範囲から逸脱することなく、様々な変更および改変が本明細書で行われ得ることに留意されたい。さらに、説明した態様および／または例の要素は、単数形で説明または請求されていることがあるが、単数形への限定が明示的に述べられていない限り、複数形が企図される。さらに、態様および／または例の全部または一部は、別段に記載されていない限り、他の態様および／または例の全部または一部とともに利用され得る。
以下に本願の出願当初の特許請求の範囲に記載された発明を付記する。
［Ｃ１］
トランスポートブロックサイズを決定する方法であって、
アップリンク上で送信されるべきデータを識別することと、ここにおいて、前記データはリソースブロックの数に関連する、
ダウンリンク制御情報を介して少なくとも１つの示された係数を受信することと、
前記少なくとも１つの示された係数に基づいて少なくとも１つの係数を決定することと、
リソースブロックの前記数と前記少なくとも１つの係数とに基づいてトランスポートブロックサイズ列インデックスを計算することと、
前記トランスポートブロックサイズ列インデックスに少なくとも部分的に基づいて前記トランスポートブロックサイズを決定することと、
前記トランスポートブロックサイズに少なくとも部分的に基づいて前記アップリンク上で前記データを送信することと
を備える、方法。
［Ｃ２］
物理アップリンク共有チャネル（ＰＵＳＣＨ）に割り当てられた変調コーディングスキーム行インデックスに少なくとも部分的に基づいて前記トランスポートブロックサイズを決定することをさらに備える、Ｃ１に記載の方法。
［Ｃ３］
前記少なくとも１つの係数がオフセットパラメータに対応し、前記トランスポートブロックサイズ列インデックスが、前記オフセットパラメータに基づいてリソースブロックの前記数からシフトされる、Ｃ１に記載の方法。
［Ｃ４］
前記少なくとも１つの係数がスケーリングファクタに対応し、前記トランスポートブロックサイズ列インデックスが、前記スケーリングファクタに基づいて前記トランスポートブロックサイズ列インデックスからスケーリングされる、Ｃ１に記載の方法。
［Ｃ５］
レイヤ３構成を受信することをさらに備え、前記少なくとも１つの係数を決定することが、前記レイヤ３構成にさらに基づく、Ｃ１に記載の方法。
［Ｃ６］
前記少なくとも１つの係数を決定することが、マッピングテーブルにさらに基づく、Ｃ１に記載の方法。
［Ｃ７］
前記少なくとも１つの係数の値範囲がサブフレームタイプに依存する、Ｃ１に記載の方法。
［Ｃ８］
前記サブフレームタイプが、通常アップリンクサブフレーム、特殊サブフレーム、またはクリアチャネルアセスメントを免除されたサブフレームのうちの１つを含む、Ｃ７に記載の方法。
［Ｃ９］
前記少なくとも１つの係数の値が、前記アップリンク上での送信のために利用可能なサブフレームの部分に依存する、Ｃ１に記載の方法。
［Ｃ１０］
前記少なくとも１つの係数が調整ファクタに対応し、前記調整ファクタがリソースブロックの前記数の関数である、Ｃ１に記載の方法。
［Ｃ１１］
前記少なくとも１つの係数が、アップリンク共有チャネル（ＵＬ−ＳＣＨ）とは無関係なチャネル状態情報フィードバックを含むアップリンクデータに対応する値を有する、Ｃ１に記載の方法。
［Ｃ１２］
前記データを送信することが、２つのコードワードを有する多入力多出力（ＭＩＭＯ）スキームに従って前記データを送信することを含み、前記少なくとも１つの係数が前記２つのコードワードの各々について同じである、Ｃ１に記載の方法。
［Ｃ１３］
前記少なくとも１つの係数が、前記アップリンク上での送信のためのリソース割振りグラニュラリティに依存する、Ｃ１に記載の方法。
［Ｃ１４］
システム帯域幅に基づいてインターレースの数を決定することと、
前記システム帯域幅に基づいてインターリーブされたリソースブロックの数を決定することと、
インターレースの前記数とインターリーブされたリソースブロックの前記数とに基づいてビットマップを生成することと、
前記ビットマップに基づいてリソースを割り振ることと
をさらに備える、Ｃ１に記載の方法。
［Ｃ１５］
コンピュータ実行可能コードを記憶したコンピュータ可読媒体であって、
アップリンク上で送信されるべきデータを識別するように実行可能なコードと、ここにおいて、前記データはリソースブロックの数に関連する、
ダウンリンク制御情報を介して少なくとも１つの示された係数を受信するように実行可能なコードと、
前記少なくとも１つの示された係数に基づいて少なくとも１つの係数を決定するように実行可能なコードと、
リソースブロックの前記数と前記少なくとも１つの係数とに基づいてトランスポートブロックサイズ列インデックスを計算するように実行可能なコードと、
前記トランスポートブロックサイズ列インデックスに少なくとも部分的に基づいてトランスポートブロックサイズを決定するように実行可能なコードと、
前記トランスポートブロックサイズに少なくとも部分的に基づいて前記アップリンク上で前記データを送信するように実行可能なコードと
を備える、コンピュータ実行可能コードを記憶したコンピュータ可読媒体。
［Ｃ１６］
トランスポートブロックサイズを決定するための装置であって、
アップリンク上で送信されるべきデータを識別するための手段と、ここにおいて、前記データはリソースブロックの数に関連する、
ダウンリンク制御情報を介して少なくとも１つの示された係数を受信するための手段と、
前記少なくとも１つの示された係数に基づいて少なくとも１つの係数を決定するための手段と、
リソースブロックの前記数と前記少なくとも１つの係数とに基づいてトランスポートブロックサイズ列インデックスを計算するための手段と、
前記トランスポートブロックサイズ列インデックスに少なくとも部分的に基づいて前記トランスポートブロックサイズを決定するための手段と、
前記トランスポートブロックサイズに少なくとも部分的に基づいて前記アップリンク上で前記データを送信するための手段と
を備える、装置。
［Ｃ１７］
トランスポートブロックサイズを決定するための装置であって、
アップリンク上で送信されるべきデータを識別するように構成されたデータ識別構成要素と、ここにおいて、前記データはリソースブロックの数に関連する、
係数決定構成要素であって、
ダウンリンク制御情報を介して少なくとも１つの示された係数を受信することと、
前記少なくとも１つの示された係数に基づいて少なくとも１つの係数を決定することと
を行うように構成された係数決定構成要素と、
リソースブロックの前記数と前記少なくとも１つの係数とに基づいてトランスポートブロックサイズ列インデックスを計算するように構成されたトランスポートブロックサイズ列インデックス計算構成要素と、
前記トランスポートブロックサイズ列インデックスに少なくとも部分的に基づいて前記トランスポートブロックサイズを決定するように構成されたトランスポートブロックサイズ決定構成要素と、
前記トランスポートブロックサイズに少なくとも部分的に基づいて前記アップリンク上で前記データを送信するように構成された送信機と
を備える、装置。
［Ｃ１８］
前記トランスポートブロックサイズ決定構成要素が、物理アップリンク共有チャネル（ＰＵＳＣＨ）に割り当てられた変調コーディングスキーム行インデックスに少なくとも部分的に基づいて前記トランスポートブロックサイズを決定するようにさらに構成された、Ｃ１７に記載の装置。
［Ｃ１９］
前記少なくとも１つの係数がオフセットパラメータに対応し、前記トランスポートブロックサイズ列インデックスが、前記オフセットパラメータに基づいてリソースブロックの前記数からシフトされる、Ｃ１７に記載の装置。
［Ｃ２０］
前記少なくとも１つの係数がスケーリングファクタに対応し、前記トランスポートブロックサイズ列インデックスが、前記スケーリングファクタに基づいて前記トランスポートブロックサイズ列インデックスからスケーリングされる、Ｃ１７に記載の装置。
［Ｃ２１］
前記係数決定構成要素が、レイヤ３構成に基づいて前記少なくとも１つの係数を決定するようにさらに構成された、Ｃ１７に記載の装置。
［Ｃ２２］
前記係数決定構成要素が、マッピングテーブルに基づいて前記少なくとも１つの係数を決定するようにさらに構成された、Ｃ１７に記載の装置。
［Ｃ２３］
前記少なくとも１つの係数の値範囲がサブフレームタイプに依存する、Ｃ１７に記載の装置。
［Ｃ２４］
前記サブフレームタイプが、通常アップリンクサブフレーム、特殊サブフレーム、またはクリアチャネルアセスメントを免除されたサブフレームのうちの１つを含む、Ｃ２３に記載の装置。
［Ｃ２５］
前記少なくとも１つの係数の値が、前記アップリンク上での送信のために利用可能なサブフレームの部分に依存する、Ｃ１７に記載の装置。
［Ｃ２６］
前記少なくとも１つの係数が調整ファクタに対応し、前記調整ファクタがリソースブロックの前記数の関数である、Ｃ１７に記載の装置。
［Ｃ２７］
前記少なくとも１つの係数が、アップリンク共有チャネル（ＵＬ−ＳＣＨ）とは無関係なチャネル状態情報フィードバックを含むアップリンクデータに対応する値を有する、Ｃ１７に記載の装置。
［Ｃ２８］
前記データを送信することが、２つのコードワードを有する多入力多出力（ＭＩＭＯ）スキームに従って前記データを送信することを含み、前記少なくとも１つの係数が前記２つのコードワードの各々について同じである、Ｃ１７に記載の装置。
［Ｃ２９］
前記少なくとも１つの係数が、前記アップリンク上での送信のためのリソース割振りグラニュラリティに依存する、Ｃ１７に記載の装置。
［Ｃ３０］
システム帯域幅に基づいてインターレースの数を決定することと、
前記システム帯域幅に基づいてインターリーブされたリソースブロックの数を決定することと、
インターレースの前記数とインターリーブされたリソースブロックの前記数とに基づいてビットマップを生成することと、
前記ビットマップに基づいてリソースを割り振ることとを行うように構成されたビットマップ決定構成要素をさらに備える、Ｃ１７に記載の装置。
【図１】
0006490672.tif 000006
【図２】
0006490672.tif 000007
【図３】
0006490672.tif 000008
【図４】
0006490672.tif 000009
【図５】
0006490672.tif 000010
【図６】
0006490672.tif 000011
【図７】
0006490672.tif 000012
【図８】
0006490672.tif 000013